(57)【要約】【課題】書き換え可能な表示媒体が不正に利用されることを抑制する。【解決手段】ＲＦＩＤ読取部よりに、メディアカードのメディアＩＤを読み取り（ステップ１０２）、読み取ったメディアＩＤと対応付けられたコンテンツコードをＩＤ管理サーバから取得し（ステップ１０４）、画像読取部により、表示領域に表示されている画像をスキャンし、画像に埋め込まれている電子透かしを読み取る処理を実行する（ステップ１０６）。電子透かしデータから、コンテンツコードを抽出する処理を実行し（ステップ１０８）、コンテンツコードが一致するか否かを判断することにより、表示領域に表示されている画像が改ざんされているか否かを判定する（ステップ１１０）。改ざんされていない場合は、コンテンツデータに、コンテンツコードを含んだ電子透かしデータを埋め込み、表示領域を書き換えるための画像データを生成する（ステップ１１４）。【選択図】図３
2009071440.tif 000002
【特許請求の範囲】
【請求項１】
画像の書き換えが可能か否かを判定するための判定情報を含む電子透かしデータが必要に応じて埋め込まれた画像データが表示可能で、かつ表示された画像の書き換えが可能な表示領域、及び自己を識別する媒体識別情報を記憶した記憶手段を備えた表示媒体の前記記憶手段から、前記媒体識別情報を読み取る識別情報読取手段と、
前記表示領域に表示された画像を読み取る画像読取手段と、
前記画像読取手段の読み取りデータに基づいて、前記電子透かしデータに含まれる判定情報を抽出する抽出手段と、
前記識別情報読取手段により読み取られた媒体識別情報と、前記抽出手段により抽出された前記判定情報に基づいて、画像の書き換えが可能か否かを判断する判断手段と、
前記判断手段により書き換えが可能と判断された場合に、画像の書き換えが可能か否かを判定するための新たな判定情報を含む電子透かしデータが必要に応じて埋め込まれた画像データを生成する生成手段と、
前記生成手段により生成された画像データに基づいて前記表示領域に表示された画像を書き換える書換手段と、
を含む画像書換装置。
【請求項２】
画像の書き換えが可能か否かを判定するための判定情報を含む電子透かしデータが必要に応じて埋め込まれた画像データが表示可能で、かつ表示された画像の書き換えが可能な表示領域、自己を識別する媒体識別情報を記憶した記憶手段、及び書き換えの禁止及び禁止の解除を行なう書換禁止解除手段を備えた表示媒体の前記記憶手段から、前記媒体識別情報を読み取る識別情報読取手段と、
前記表示領域に表示された画像を読み取る画像読取手段と、
前記画像読取手段の読み取りデータに基づいて、前記電子透かしデータに含まれる判定情報を抽出する抽出手段と、
前記識別情報読取手段により読み取られた媒体識別情報と、前記抽出手段により抽出された前記判定情報に基づいて、画像の書き換えが可能か否かを判断する判断手段と、
前記判断手段により書き換えが可能と判断された場合に、画像の書き換えが可能か否かを判定するための新たな判定情報を含む電子透かしデータが必要に応じて埋め込まれた画像データを生成する生成手段と、
前記判断手段により書き換えが可能と判断された場合に、前記書換禁止解除手段の書き換えの禁止を解除するように制御する制御手段と、
前記生成手段により生成された画像データに基づいて前記表示領域に表示された画像を書き換える書換手段と、
を含む画像書換装置。
【請求項３】
前記判断手段は、表示媒体を識別する媒体識別情報と画像の書き換えが可能か否かを判定するための判定情報とを対応させて記憶した記憶装置から、前記識別情報読取手段により読み取られた媒体識別情報に対応する判定情報を取得し、取得した判定情報と前記画像読取手段により読み取られた判定情報とが対応しているか否かを判断することにより、画像の書き換えが可能か否かを判断する請求項１又は請求項２に記載の画像書換装置。
【請求項４】
前記判定情報は、前記表示領域に表示された画像を識別するための画像識別情報、前記表示領域に表示された画像を書き換えた回数を示す書換回数情報、前記表示領域に表示された画像の書き換えを行なった日時を示す書換日時情報、又は書き換える毎に変更されるポイントを示すポイント情報であり、
前記判断手段は、前記画像識別情報、前記書換回数情報、前記書換日時情報、又は前記ポイント情報と、前記記憶手段に記憶されている媒体識別情報に対応する前記画像識別情報、前記書換回数情報、前記書換日時情報、又は前記ポイント情報とが対応している場合に、画像の書き換えが可能と判断する請求項３に記載の画像書換装置。
【請求項５】
前記判定情報は、前記媒体識別情報であり、前記判断手段は、
前記識別情報読取手段により読み取られた媒体識別情報と、前記抽出手段により抽出された媒体識別情報とが対応しているか否かを判断することにより、画像の書き換えが可能か否かを判断する請求項１又は請求項２に記載の画像書換装置。
【請求項６】
コンピュータに、
画像の書き換えが可能か否かを判定するための判定情報を含む電子透かしデータが必要に応じて埋め込まれた画像データが表示可能で、かつ表示された画像の書き換えが可能な表示領域、及び自己を識別する媒体識別情報を記憶した記憶手段を備えた表示媒体の前記記憶手段から、前記媒体識別情報を識別情報読取手段に読み取らせるステップと、
前記表示領域に表示された画像を画像読取手段に読み取らせるステップと、
前記画像読取手段の読み取りデータに基づいて、前記電子透かしデータに含まれる判定情報を抽出する抽出ステップと、
前記識別情報読取手段により読み取られた媒体識別情報と、前記抽出ステップで抽出された前記判定情報に基づいて、画像の書き換えが可能か否かを判断する判断ステップと、
前記判断ステップで書き換えが可能と判断された場合に、画像の書き換えが可能か否かを判定するための新たな判定情報を含む電子透かしデータが必要に応じて埋め込まれた画像データを生成する生成ステップと、
前記生成ステップで生成された画像データに基づいて前記表示領域に表示された画像を書換手段に書き換えさせるステップと、
を実行させるためのプログラム。
【請求項７】
コンピュータに、
画像の書き換えが可能か否かを判定するための判定情報を含む電子透かしデータが必要に応じて埋め込まれた画像データが表示可能で、かつ表示された画像の書き換えが可能な表示領域、自己を識別する媒体識別情報を記憶した記憶手段を備えた表示媒体の前記記憶手段、及び書き換えの禁止及び禁止の解除を行なう書換禁止解除手段から、前記媒体識別情報を識別情報読取手段に読み取らせるステップと、
前記表示領域に表示された画像を画像読取手段に読み取らせるステップと、
前記画像読取手段の読み取りデータに基づいて、前記電子透かしデータに含まれる判定情報を抽出する抽出ステップと、
前記識別情報読取手段により読み取られた媒体識別情報と、前記抽出ステップで抽出された前記判定情報に基づいて、画像の書き換えが可能か否かを判断する判断ステップと、
前記判断ステップで書き換えが可能と判断された場合に、画像の書き換えが可能か否かを判定するための新たな判定情報を含む電子透かしデータが必要に応じて埋め込まれた画像データを生成する生成ステップと、
前記判断ステップで書き換えが可能と判断された場合に、前記書換禁止解除手段の書き換えの禁止を解除するように制御するステップと、
前記生成ステップで生成された画像データに基づいて前記表示領域に表示された画像を書換手段に書き換えさせるステップと、
を実行させるためのプログラム。
【発明の詳細な説明】
【技術分野】
【０００１】
本発明は、画像書換装置、及びプログラムに関する。
【背景技術】
【０００２】
近年、電子的な画像の書き込み、及び書き換えが可能で、かつ、書き込んだ画像を一定期間保持することができる表示媒体が種々開発されている。
【０００３】
例えば、表示媒体が光書き込み型である場合、特定の電圧の印加、及び光の照射によって書き換えをすることができるため、不正に利用することも可能である。
【０００４】
また、表示媒体を書き換える装置が、任意の表示媒体に画像の書き込みを行えると、特定の表示媒体にのみ表示すべき秘匿性のある画像が、不特定の表示媒体に表示される場合があり、外部に情報が漏洩する恐れがある。
【０００５】
特許文献１には、表示媒体と表示媒体に表示させる画像データを送信する送信装置とで構成される画像表示システムにおいて、表示媒体に個別の識別情報を設定しておき、送信装置に記憶されている識別情報と表示媒体に設定されている識別情報とが一致した場合に、送信装置が表示媒体に画像データを送信することで、適正でない表示媒体に画像データが送信されることを防ぎ、情報の漏洩を防止する技術が提案されている。
【特許文献１】特開２００６−１７９０６公報
【発明の開示】
【発明が解決しようとする課題】
【０００６】
本発明は、書き換え可能な表示媒体が不正に利用されることを抑制することを目的とする。
【課題を解決するための手段】
【０００７】
請求項１の発明の画像書換装置は、画像の書き換えが可能か否かを判定するための判定情報を含む電子透かしデータが必要に応じて埋め込まれた画像データが表示可能で、かつ表示された画像の書き換えが可能な表示領域、及び自己を識別する媒体識別情報を記憶した記憶手段を備えた表示媒体の前記記憶手段から、前記媒体識別情報を読み取る識別情報読取手段と、前記表示領域に表示された画像を読み取る画像読取手段と、前記画像読取手段の読み取りデータに基づいて、前記電子透かしデータに含まれる判定情報を抽出する抽出手段と、前記識別情報読取手段により読み取られた媒体識別情報と、前記抽出手段により抽出された前記判定情報に基づいて、画像の書き換えが可能か否かを判断する判断手段と、前記判断手段により書き換えが可能と判断された場合に、画像の書き換えが可能か否かを判定するための新たな判定情報を含む電子透かしデータが必要に応じて埋め込まれた画像データを生成する生成手段と、前記生成手段により生成された画像データに基づいて前記表示領域に表示された画像を書き換える書換手段と、を含む。
【０００８】
請求項２の発明の画像書換装置は、画像の書き換えが可能か否かを判定するための判定情報を含む電子透かしデータが必要に応じて埋め込まれた画像データが表示可能で、かつ表示された画像の書き換えが可能な表示領域、自己を識別する媒体識別情報を記憶した記憶手段、及び書き換えの禁止及び禁止の解除を行なう書換禁止解除手段を備えた表示媒体の前記記憶手段から、前記媒体識別情報を読み取る識別情報読取手段と、前記表示領域に表示された画像を読み取る画像読取手段と、前記画像読取手段の読み取りデータに基づいて、前記電子透かしデータに含まれる判定情報を抽出する抽出手段と、前記識別情報読取手段により読み取られた媒体識別情報と、前記抽出手段により抽出された前記判定情報に基づいて、画像の書き換えが可能か否かを判断する判断手段と、前記判断手段により書き換えが可能と判断された場合に、画像の書き換えが可能か否かを判定するための新たな判定情報を含む電子透かしデータが必要に応じて埋め込まれた画像データを生成する生成手段と、前記判断手段により書き換えが可能と判断された場合に、前記書換禁止解除手段の書き換えの禁止を解除するように制御する制御手段と、前記生成手段により生成された画像データに基づいて前記表示領域に表示された画像を書き換える書換手段と、を含む。
【０００９】
請求項３の発明は請求項１又は請求項２に記載の画像書換装置において、前記判断手段は、表示媒体を識別する媒体識別情報と画像の書き換えが可能か否かを判定するための判定情報とを対応させて記憶した記憶装置から、前記識別情報読取手段により読み取られた媒体識別情報に対応する判定情報を取得し、取得した判定情報と前記画像読取手段により読み取られた判定情報とが対応しているか否かを判断することにより、画像の書き換えが可能か否かを判断するものである。
【００１０】
請求項４の発明は請求項３に記載の画像書換装置において、前記判定情報は、前記表示領域に表示された画像を識別するための画像識別情報、前記表示領域に表示された画像を書き換えた回数を示す書換回数情報、前記表示領域に表示された画像の書き換えを行なった日時を示す書換日時情報、又は書き換える毎に変更されるポイントを示すポイント情報であり、前記判断手段は、前記画像識別情報、前記書換回数情報、前記書換日時情報、又は前記ポイント情報と、前記記憶手段に記憶されている媒体識別情報に対応する前記画像識別情報、前記書換回数情報、前記書換日時情報、又は前記ポイント情報とが対応している場合に、画像の書き換えが可能と判断するものである。
【００１１】
請求項５の発明は請求項１又は請求項２に記載の画像書換装置において、前記判定情報は、前記媒体識別情報であり、前記判断手段は、前記識別情報読取手段により読み取られた媒体識別情報と、前記抽出手段により抽出された媒体識別情報とが対応しているか否かを判断することにより、画像の書き換えが可能か否かを判断するものである。
【００１２】
請求項６の発明は、コンピュータに、画像の書き換えが可能か否かを判定するための判定情報を含む電子透かしデータが必要に応じて埋め込まれた画像データが表示可能で、かつ表示された画像の書き換えが可能な表示領域、及び自己を識別する媒体識別情報を記憶した記憶手段を備えた表示媒体の前記記憶手段から、前記媒体識別情報を識別情報読取手段に読み取らせるステップと、前記表示領域に表示された画像を画像読取手段に読み取らせるステップと、前記画像読取手段の読み取りデータに基づいて、前記電子透かしデータに含まれる判定情報を抽出する抽出ステップと、前記識別情報読取手段により読み取られた媒体識別情報と、前記抽出ステップで抽出された前記判定情報に基づいて、画像の書き換えが可能か否かを判断する判断ステップと、前記判断ステップで書き換えが可能と判断された場合に、画像の書き換えが可能か否かを判定するための新たな判定情報を含む電子透かしデータが必要に応じて埋め込まれた画像データを生成する生成ステップと、前記生成ステップで生成された画像データに基づいて前記表示領域に表示された画像を書換手段に書き換えさせるステップと、を実行させるためのプログラムである。
【００１３】
請求項７の発明は、コンピュータに、画像の書き換えが可能か否かを判定するための判定情報を含む電子透かしデータが必要に応じて埋め込まれた画像データが表示可能で、かつ表示された画像の書き換えが可能な表示領域、自己を識別する媒体識別情報を記憶した記憶手段を備えた表示媒体の前記記憶手段、及び書き換えの禁止及び禁止の解除を行なう書換禁止解除手段から、前記媒体識別情報を識別情報読取手段に読み取らせるステップと、前記表示領域に表示された画像を画像読取手段に読み取らせるステップと、前記画像読取手段の読み取りデータに基づいて、前記電子透かしデータに含まれる判定情報を抽出する抽出ステップと、前記識別情報読取手段により読み取られた媒体識別情報と、前記抽出ステップで抽出された前記判定情報に基づいて、画像の書き換えが可能か否かを判断する判断ステップと、前記判断ステップで書き換えが可能と判断された場合に、画像の書き換えが可能か否かを判定するための新たな判定情報を含む電子透かしデータが必要に応じて埋め込まれた画像データを生成する生成ステップと、前記判断ステップで書き換えが可能と判断された場合に、前記書換禁止解除手段の書き換えの禁止を解除するように制御するステップと、前記生成ステップで生成された画像データに基づいて前記表示領域に表示された画像を書換手段に書き換えさせるステップと、を実行させるためのプログラムである。
【発明の効果】
【００１４】
請求項１及び請求項６の発明によれば、画像の書き換えが可能か否かを判定するための判定情報を含む電子透かしデータを必要に応じて埋め込まない場合と比較して、書き換え可能な表示媒体が不正に利用されることを抑制できる、という効果が得られる。
【００１５】
請求項２及び請求項７の発明によれば、画像の書き換えが可能か否かを判定するための判定情報を含む電子透かしデータを必要に応じて埋め込まない場合と比較して、書き換え可能な表示媒体の不正な書き換えを抑制できる、という効果が得られる。
【００１６】
請求項３の発明によれば、記憶装置から表示媒体を識別する媒体識別情報に対応する画像の書き換えが可能か否かを判定するための判定情報を取得しない場合と比較して、書き換え可能な表示媒体が不正に利用されることを抑制できる、という効果が得られる。
【００１７】
請求項４の発明によれば、画像の書き換えが可能か否かを判定するために画像識別情報、書換回数情報、書換日時情報、又はポイント情報を含む電子透かしデータを必要に応じて埋め込まない場合と比較して、書き換え可能な表示媒体が不正に利用されることを抑制できる、という効果が得られる。
【００１８】
請求項５の発明によれば、画像の書き換えが可能か否かを判定するために媒体識別情報を含む電子透かしデータを必要に応じて埋め込まない場合と比較して、書き換え可能な表示媒体が不正に利用されることを抑制できる、という効果が得られる。
【発明を実施するための最良の形態】
【００１９】
以下、図面を参照して本発明の実施の形態を詳細に説明する。
【００２０】
図１に示すように、本発明の実施の形態に係る表示システム１０は、表示媒体であるメディアカード１２と書換装置１４とで構成されている。メディアカード１２は、画像データに応じた画像を表示するための書き換え可能な表示領域１６、及び自己のメディアＩＤを送信するＲＦＩＤタグ１８を備えている。また、書換装置１４は、メディアカード１２を挿入するための挿入口１５を備えている。メディアカード１２が挿入口１５に挿入されると、表示領域１６に表示される画像は後述するように条件に応じて書き換えられる。
（第１の実施の形態）
図２に示されるように、書換装置１４には、ＣＰＵ２０，ＲＯＭ２２，及びＲＡＭ２４等がバス２６によって接続されたシステムコントローラ２８が設けられている。さらに、書換装置１４には、外部装置とネットワーク接続を行なうためのネットワークインターフェース３０、操作パネル及びディスプレイを含み各種の入力操作や書換装置１４の動作状態の表示等が行われるユーザーインターフェース３２、メディアカード１２に備えられたＲＦＩＤタグ１８からメディアカード１２に固有なメディアＩＤを読み取るためのＲＦＩＤ読取部３４、メディアカード１２の表示領域１６に表示されている画像を読み取るための画像読取部３６、表示領域１６に表示されている画像の書き換えをおこなうための特定の電圧を印加する電圧印加部３８、並びにメディアカード１２に画像データに応じて所定の波長の露光光を照射する光照射部４０を含んで構成されている。ネットワークインターフェース３０、ユーザーインターフェース３２、ＲＦＩＤ読取部３４、画像読取部３６、電圧印加部３８、及び光照射部４０は、システムコントローラ２８のバス２６に接続されており、システムコントローラ２８によって、書換装置１４の全体が制御される。また、書換装置１４には、メディアカード１２が挿入されたときにオン状態となる挿入検知スイッチ１５Ａが設けられている。または、メディアカード１２の電源コネクタ６２，６４が電圧印加部３８と接続されたときにメディアカード１２が挿入されたことを認識する機構であってもよい。
【００２１】
また、システムコントローラ２８は、ネットワークインターフェース３０を介して、バックエンドサーバ４２にネットワーク接続されている。バックエンドサーバ４２は、ＩＤ管理サーバ４４及びコンテンツサーバ４６を含んで構成されている。ＩＤ管理サーバ４４には、メディアカード１２を識別するためのメディアＩＤとメディアカード１２の表示領域１６に表示されている画像コンテンツを識別するためのコンテンツコードとがメディアカード１２毎に対応付けられて登録されている。コンテンツサーバ４６には、コンテンツコードと画像コンテンツを表すコンテンツデータとが画像コンテンツ毎に対応付けられて登録されている。なお、図２には、１台のＩＤ管理サーバ４４と１台のコンテンツサーバ４６を図示したが、コンテンツサーバ４６は複数台設けられていてもよい。
【００２２】
メディアカード１２は、それぞれ透明な電極５２，５４を備えた透明基板４８，５０間に、光照射部４０により所定の波長の露光光が照射されると抵抗値が小さくなる光導電層６０と、光導電層６０の抵抗値の変化に対応して電極間に印加された電圧の分圧が変化し、その分圧の変化に基いて配向分布が変化し光学的特性分布に応じた情報が記録される液晶層５６と、外部からの光などを吸収する遮光層５８とを含んで形成されている。
【００２３】
電極５２は、電源コネクタ６２と接続されており、電極５４は、電源コネクタ６４と接続されている。電源コネクタ６２，６４は電圧印加部３８と接続され、画像の書き換え時には、電極５２，５４に特定の電圧が印加される。
【００２４】
次に、システムコントローラ２８による画像書換処理のルーチンを図３のフローチャートを参照して説明する。
【００２５】
ステップ１００では、挿入検知スイッチ１５Ａの状態に基づいて、メディアカード１２が書換装置１４に挿入されたか否かを判定する。肯定された場合はステップ１０２へ移行し、否定された場合はステップ１００へ戻る。
【００２６】
ステップ１０２では、ＲＦＩＤ読取部３４により、メディアカード１２のメディアＩＤを読み取る。
【００２７】
ステップ１０４では、読み取ったメディアＩＤをＩＤ管理サーバ４４に送信し、メディアＩＤと対応付けられたコンテンツコードをＩＤ管理サーバ４４から取得する。
【００２８】
ステップ１０６では、画像読取部３６により、表示領域１６に表示されている画像をスキャンし、画像に埋め込まれている電子透かしを読み取る処理を実行する。電子透かしが読み取られた場合は、ステップ１０８で、電子透かしデータから、コンテンツコードを抽出する処理を実行する。
【００２９】
ステップ１１０では、ステップ１０４で取得したコンテンツコードとステップ１０８で抽出したコンテンツコードとが一致するか否かを判断することにより、表示領域１６に表示されている画像が改ざんされているか否かを判定する。改ざんされていない場合はステップ１１２へ移行し、改ざんされている場合はステップ１２０へ移行する。
【００３０】
ステップ１１２では、コンテンツサーバ４６から、表示領域１６に新たに表示させる画像コンテンツのコンテンツコード及びコンテンツデータを取得する。
【００３１】
ステップ１１４では、コンテンツデータに、コンテンツコードを含んだ電子透かしデータを埋め込み、画像データを生成する。
【００３２】
ステップ１１６では、電圧印加部３８から所定の電圧を印加すると共に、光照射部４０から画像データに応じた光を照射して露光することで、表示領域１６の画像を書き換える。
【００３３】
ステップ１１８では、ＩＤ管理サーバ４４に登録されているメディアＩＤと対応づけられるコンテンツコードを書き換えられた画像コンテンツのコンテンツコードに変更する。
【００３４】
ステップ１１０で表示されている画像が改ざんされていると判定された場合は、ステップ１２０で、ユーザーインターフェース３２に、挿入されたメディアカード１２が改ざんされている旨を表示する。
【００３５】
ステップ１２２では、イジェクト機構１５Ｂを制御し、挿入されていたメディアカード１２を排出する。
【００３６】
なお、上記では、ＩＤ管理サーバ４４が、メディアＩＤとメディアカード１２の表示領域１６に表示されている画像コンテンツのコンテンツコードとを対応付けて管理し、電子透かしデータにコンテンツコードを含める形態について説明したが、ＩＤ管理サーバ４４は、電子透かしデータに含まれる情報とメディアＩＤとを対応付けて管理できればよく、例えば、メディアカード１２の書換回数をメディアＩＤとを対応付けて管理してもよい。この場合、電子透かしデータに含まれる書換回数と、ＩＤ管理サーバ４４で管理されている書換回数とを比較することによりで改ざんの有無を判定する。
【００３７】
このように、第１の実施の形態では、メディアカードの表示領域に表示されている画像から読み取った電子透かしに含まれるコンテンツコードとメディアカードのメディアＩＤに応じて記憶されているコンテンツコードとが対応する場合には、表示領域に表示される画像コンテンツを書き換え、対応しない場合には、書き換えを行なわないように制御する。これにより、改ざんされているメディアカードの不正な使用を防ぐことができる。
（第２の実施の形態）
続いて、本発明の第２の実施の形態に係る表示システムについて説明する。
【００３８】
第１の実施の形態では、書換装置がメディアカードに表示されている画像が改ざんされているか否かの判定を行う場合について説明したが、第２の実施の形態では、書換装置がメディアカードに表示されている画像が改ざんされているか否かを判定すると共に、メディアカードが書換装置による書き換えが適正か否かを判定する場合について説明する。以下では、第１の実施の形態と対応する部分についての説明を省略し、第１の実施の形態との差異を主として説明する。
【００３９】
第２の実施の形態では、メディアカードが、例えば特定の店舗のポイントカードとして用いられている場合等、コンテンツサーバと接続しなくても書き換えを行なうことができる場合であって、メディアカードの表示領域に、状況に応じて書き換えられるポイント数が表示されると共に、ＩＤ管理サーバが、メディアカードのこれまでの書換回数をメディアＩＤと対応付けて管理する場合を例に挙げて説明する。
【００４０】
図４に示すように、第２の実施の形態に係るメディアカード７０は、電源コネクタ６２，６４の各々と電極５２，５４の各々との間にスイッチング回路７２が設けられている。このスイッチング回路７２により、通常は電源コネクタ６２と電極５２、及び電源コネクタ６４と電極５４とは遮断状態とされ、表示領域１６に表示される画像の書き換えが禁止されている。
【００４１】
書換装置８０には、表示領域１６に表示された画像の書き換えの禁止を解除するための解除コードをメディアカード７０へ出力すると共に、画像の書き換えの禁止の解除の許可又は禁止を示す信号をメディアカード７０から入力するためのデータ入出力部８２が設けられている。データ入出力部８２から出力される解除コードは、ＩＤ管理サーバ４４に記憶されていてもよいし、書き換え毎にユーザーインターフェース３２を介して操作者が入力してもよい。
【００４２】
メディアカード７０は、書換装置８０から出力された解除コードを入力すると共に、画像の書き換えの許可を示す信号又は禁止を示す信号を書換装置８０へ出力するためのデータ入出力部７４を備えている。
【００４３】
また、メディアカード７０は、表示領域１６に表示された画像の書き換えの禁止を解除するための解除コードを記憶したメモリ７６を備えている。
【００４４】
さらに、メディアカード７０は、書換装置８０から出力された解除コードとメモリ７６に記憶されている解除コードとを比較することにより、解除を許可するか否かを判定する判定回路７８を備えている。判定回路７８は、解除を許可すると判定した場合、データ入出力部７４，８２を介して許可を示す信号を出力し、解除を禁止すると判定した場合、データ入出力部７４，８２を介して禁止を示す信号を出力する。また、判定回路７８は、解除を許可すると判定をした場合に、スイッチング回路７２をオン状態とし、電源コネクタ６２と電極５２、及び電源コネクタ６４と電極５４とを接続する。
【００４５】
ＩＤ管理サーバ４４は、メディアカード１２のこれまでの書換回数をメディアＩＤとを対応付けて管理している。
【００４６】
次に、システムコントローラ２８による画像書換処理のルーチンを図５のフローチャートを参照して説明する。
【００４７】
ステップ１５０では、挿入検知スイッチ１５Ａの状態に基づいて、メディアカード７０が書換装置８０に挿入されたか否かを判定する。肯定された場合はステップ１５２へ移行し、否定された場合はステップ１５０へ戻る。
【００４８】
ステップ１５２では、ＲＦＩＤ読取部３４により、メディアカード７０のメディアＩＤを読み取る。
【００４９】
ステップ１５４では、読み取ったメディアＩＤをＩＤ管理サーバ４４に送信し、メディアＩＤと対応付けられた書換回数をＩＤ管理サーバ４４から取得する。
【００５０】
ステップ１５６では、画像読取部３６により、表示領域１６に表示されている画像をスキャンし、画像に埋め込まれている電子透かしを読み取る処理を実行する。電子透かしが読み取られた場合には、ステップ１５８で、電子透かしデータから、書換回数を抽出する処理を実行する。
【００５１】
ステップ１６０では、ステップ１５４で取得した書換回数とステップ１５８で抽出した書換回数とが一致するか否かを判断することにより、表示領域１６に表示されている画像が改ざんされているか否かを判定する。改ざんされていない場合はステップ１６２へ移行し、改ざんされている場合はステップ１７４へ移行する。
【００５２】
ステップ１６２では、電圧印加部３８から所定の電圧を印加すると共に、解除コードをメディアカード７０のデータ入出力部７４へ出力する。
【００５３】
ステップ１６４では、判定回路７８が画像の書き換えを許可したか否かを判定する。肯定された場合はステップ１６６へ移行し、否定された場合はステップ１７４へ移行する。
【００５４】
ステップ１６６では、表示領域１６に新たに表示させるポイント数を取得する。ポイント数は、書換装置８０内で演算されてもよいし、ユーザーインターフェース３２を介して操作者が入力してもよい。
【００５５】
ステップ１６８では、ポイント数を表すデータに、「１」インクリメントした書換回数を含んだ電子透かしデータを埋め込み、画像データを生成する処理を実行する。
【００５６】
ステップ１７０では、光照射部４０により画像データに応じた光を照射して露光することで、表示領域１６の画像を書き換える。
【００５７】
ステップ１７２では、ＩＤ管理サーバ４４に登録されているメディアＩＤと対応づけられる書換回数を「１」インクリメントして更新する。
【００５８】
ステップ１７４では、ユーザーインターフェース３２に、挿入されたメディアカード７０が書換不可の旨を表示する。
【００５９】
ステップ１７６では、イジェクト機構１５Ｂを制御し、挿入されていたメディアカード７０を排出する。
【００６０】
次に、判定回路７８による画像書換処理のルーチンを図６のフローチャートを参照して説明する。
【００６１】
ステップ２００では、データ入出力部７４に解除コードが入力されたか否かを判定する。肯定された場合はステップ２０２へ移行し、否定された場合はステップ２００へ戻る。
【００６２】
ステップ２０２では、メモリ７６から解除コードを取得する。
【００６３】
ステップ２０４では、ステップ２００で入力された解除コードとステップ２０２で取得した解除コードとが一致するか否かを判定する。肯定された場合はステップ２０６へ移行し、否定された場合はステップ２１０へ移行する。
【００６４】
ステップ２０６では、スイッチング回路７２をオン状態にする。
【００６５】
ステップ２０８では、データ入出力部７４から解除の許可を示す信号を出力する。
【００６６】
ステップ２１０では、データ入出力部７４から解除の禁止を示す信号を出力する。
【００６７】
なお、ＩＤ管理サーバ４４に管理されるメディアＩＤと対応付けられる情報は、書換回数に限らず、書換を行なった日時、書き換えられたポイント数等の情報でもよい。
【００６８】
このように、第２の実施の形態では、書換装置がメディアカードに表示されている画像が改ざんされているか否かを判定すると共に、メディアカードが書換装置による書き換えが適正か否かを判定し、適正な場合にのみ書き換えを許可する。これにより、改ざんされているメディアカードの不正な使用を防ぐと共に、メディアカードの改ざんを防ぐことができる。
（第３の実施の形態）
続いて、本発明の第３の実施の形態に係る表示システムについて説明する。
【００６９】
第１の実施の形態では、ＩＤ管理サーバを参照してメディアカードの表示領域に表示されている画像が改ざんされているか否かを判定する場合について説明したが、第３の実施の形態では、ＩＤ管理サーバを参照することなくメディアカードの表示領域に表示されている画像が改ざんされているか否かを判定する場合について説明する。以下では、第１の実施の形態と対応する部分についての説明を省略し、第１の実施の形態との差異、すなわち書換装置のシステムコントローラによる画像書換処理を主として説明する。
【００７０】
第３の実施の形態では、メディアカード１２の表示領域１８に表示される画像には、メディアＩＤを含む電子透かしが埋め込まれている。
【００７１】
システムコントローラ２８による画像書換処理のルーチンを図７のフローチャートを参照して説明する。
【００７２】
ステップ２５０では、挿入検知スイッチ１５Ａの状態に基づいて、メディアカード１２が書換装置１４に挿入されたか否かを判定する。肯定された場合はステップ２５２へ移行し、否定された場合はステップ２５０へ戻る。
【００７３】
ステップ２５２では、ＲＦＩＤ読取部３４により、メディアカード１２のメディアＩＤを読み取る。
【００７４】
ステップ２５４では、画像読取部３６により、表示領域１６に表示されている画像をスキャンし、画像に埋め込まれている電子透かしを読み取る処理を実行する。電子透かしが読み取られた場合は、ステップ２５６で、電子透かしデータから、メディアＩＤを抽出する処理を実行する。
【００７５】
ステップ２５８では、ステップ２５２で読み取ったメディアＩＤと、ステップ２５６で抽出したメディアＩＤとが一致するか否かを判定する。肯定された場合はステップ２６０へ移行し、否定された場合はステップ２６２へ移行する。
【００７６】
ステップ２６０では、ユーザーインターフェース３２に、挿入されたメディアカード１２が真であることを表示する。
【００７７】
ステップ２６２では、ユーザーインターフェース３２に、挿入されたメディアカード１２が偽であることを表示する。
【００７８】
このように、第３の実施の形態では、メディアカードの表示領域に表示されている画像から読み取った電子透かしに含まれるメディアＩＤとメディアカードのメディアＩＤとが一致する場合には、メディアカードが真であると判定する。これにより、ＩＤ管理サーバを参照することなく、メディアカードの真偽を判定できる。
【００７９】
なお、上記の実施の形態では、光書き込み型の表示媒体に本発明を適用する形態について説明したが、電子透かしを埋め込むことが可能な解像度で画像を表示できる表示媒体であれば光書き込み型でなくてもよい。しかし、光書き込み型の表示媒体は一対の電極間に書き込み用の電圧を印加した状態で書き込み画像を光導電層に照射することで新たな画像を記録したり、一様な光を照射することで画像を消去することもできるため、個別のマトリクス電極で表示画像を駆動表示させる形態の表示媒体と比較して、容易に偽造をされやすい。このため、本発明を光書き込み型の表示媒体に適用することで、この光書き込み型の表示媒体が不正利用されることを効果的に防止することができるようになるため、より好ましい。なお、表示媒体もしくは書き込み画像の解像度は６００ｄｐｉ以上とすることで電子透かしデータの解読や視認が困難になる点で、安全上好ましい。
【図面の簡単な説明】
【００８０】
【図１】本実施の形態に係る表示システムの外観の概念図である。
【図２】第１の実施の形態に係る表示システムの概略構成図である。
【図３】第１の実施の形態に係る画像書換処理のルーチンを示すフローチャートである。
【図４】第２の実施の形態に係る表示システムの概略構成図である。
【図５】第２の実施の形態に係る画像書換装置における書換処理のルーチンを示すフローチャートである。
【図６】第２の実施の形態に係るメディアカードにおける画像書換処理のルーチンを示すフローチャートである。
【図７】第３の実施の形態に係る画像書換処理のルーチンを示すフローチャートである。
【符号の説明】
【００８１】
１０   表示システム
１２   メディアカード
１４   書換装置
１６   表示領域
１８   ＲＦＩＤタグ
２８   システムコントローラ
３０   ネットワークインターフェース
３４   ＲＦＩＤ読取部
３６   画像読取部
３８   電圧印加部
４０   光照射部
４４   ＩＤ管理サーバ
５２，５４    電極
６２，６４    電源コネクタ
７０   メディアカード
７２   スイッチング回路
７４   データ入出力部
７６   メモリ
７８   判定回路
８０   書換装置
８２   データ入出力部
【図１】
2009071440.tif 000003
【図２】
2009071440.tif 000004
【図３】
2009071440.tif 000005
【図４】
2009071440.tif 000006
【図５】
2009071440.tif 000007
【図６】
2009071440.tif 000008
【図７】
2009071440.tif 000009